(57)【要約】      （修正有）【課題】複数の眼科画像をレポート等として印刷する場合に、検者が簡単な操作で実行できる情報処理装置を提供する。【解決手段】情報処理装置は、被検査物の複数の画像を取得する取得手段と、取得された複数の画像の枚数に基づいて印刷媒体のサイズを決定する決定手段を有する。【選択図】図５
2015062642.tif 000002
【特許請求の範囲】
【請求項１】
被検査物の複数の画像を取得する取得手段と、
前記取得された複数の画像の枚数に基づいて印刷媒体のサイズを決定する決定手段と、
を有することを特徴とする情報処理装置。
【請求項２】
前記決定手段は、前記被検査物の複数の画像の枚数及び種類に基づいて前記印刷媒体のサイズを決定することを特徴とする請求項１に記載の情報処理装置。
【請求項３】
被検査物の複数の画像を取得する取得手段と、
前記取得された複数の画像の種類に基づいて印刷媒体のサイズを決定する決定手段と、
を有することを特徴とする情報処理装置。
【請求項４】
前記被検査物の複数の画像の枚数と種類とのうち少なくとも一方に基づいてレイアウトを決定するレイアウト決定手段を更に有することを特徴とする請求項１乃至３のいずれか１項に記載の情報処理装置。
【請求項５】
被検査物の複数の画像を取得する取得手段と、
前記被検査物の複数の画像の枚数と種類とのうち少なくとも一方に基づいてレイアウトを決定するレイアウト決定手段と、
を有することを特徴とする情報処理装置。
【請求項６】
前記被検査物は、被検眼であり、
前記複数の画像は、前記被検眼の眼底画像とパノラマ画像とを含み、
前記レイアウト決定手段は、前記パノラマ画像が前記眼底画像よりも大きい状態で前記印刷媒体に印刷されるように、前記レイアウトを決定することを特徴とする請求項４または５に記載の情報処理装置。
【請求項７】
前記被検査物は、被検眼であり、
前記複数の画像は、前記被検眼の眼底画像と断層画像とを含み、
前記レイアウト決定手段は、前記断層画像が前記眼底画像よりも小さい状態で前記印刷媒体に印刷されるように、前記レイアウトを決定することを特徴とする請求項４または５に記載の情報処理装置。
【請求項８】
前記決定されたサイズ及び前記決定されたレイアウトで、前記取得された複数の画像を表示手段に表示させる表示制御手段を更に有することを特徴とする請求項４乃至７のいずれか１項に記載の情報処理装置。
【請求項９】
前記表示制御手段は、前記決定されたサイズを示す表示形態を前記表示手段に表示させることを特徴とする請求項８に記載の情報処理装置。
【請求項１０】
印刷装置と通信可能に接続され、前記決定されたサイズの印刷媒体に前記複数の画像を前記印刷装置に印刷させる印刷制御手段を更に有することを特徴とする請求項１乃至９のいずれか１項に記載の情報処理装置。
【請求項１１】
被検査物の複数の画像を取得する工程と、
前記取得された複数の画像の枚数に基づいて印刷媒体のサイズを決定する工程と、
を有することを特徴とする情報処理方法。
【請求項１２】
前記決定する工程において、前記被検査物の複数の画像の枚数及び種類に基づいて前記印刷媒体のサイズを決定することを特徴とする請求項１１に記載の情報処理方法。
【請求項１３】
被検査物の複数の画像を取得する工程と、
前記取得された複数の画像の種類に基づいて印刷媒体のサイズを決定する工程と、
を有することを特徴とする情報処理方法。
【請求項１４】
前記被検査物の複数の画像の枚数と種類とのうち少なくとも一方に基づいてレイアウトを決定する工程を更に有することを特徴とする請求項１１乃至１３のいずれか１項に記載の情報処理方法。
【請求項１５】
被検査物の複数の画像を取得する工程と、
前記被検査物の複数の画像の枚数と種類とのうち少なくとも一方に基づいてレイアウトを決定する工程と、
を有することを特徴とする情報処理方法。
【請求項１６】
前記被検査物は、被検眼であり、
前記複数の画像は、前記被検眼の眼底画像とパノラマ画像とを含み、
前記レイアウトを決定する工程において、前記パノラマ画像が前記眼底画像よりも大きい状態で前記印刷媒体に印刷されるように、前記レイアウトを決定することを特徴とする請求項１４または１５に記載の情報処理方法。
【請求項１７】
前記被検査物は、被検眼であり、
前記複数の画像は、前記被検眼の眼底画像と断層画像とを含み、
前記レイアウトを決定する工程において、前記断層画像が前記眼底画像よりも小さい状態で前記印刷媒体に印刷されるように、前記レイアウトを決定することを特徴とする請求項１４または１５に記載の情報処理方法。
【請求項１８】
前記決定されたサイズ及び前記決定されたレイアウトで、前記取得された複数の画像を表示手段に表示させる工程を更に有することを特徴とする請求項１４乃至１７のいずれか１項に記載の情報処理方法。
【請求項１９】
前記表示させる工程において、前記決定されたサイズを示す表示形態を前記表示手段に表示させることを特徴とする請求項１８に記載の情報処理方法。
【請求項２０】
印刷装置と通信可能に接続され、前記決定されたサイズの印刷媒体に前記複数の画像を前記印刷装置に印刷させる工程を更に有することを特徴とする請求項１１乃至１９のいずれか１項に記載の情報処理方法。
【発明の詳細な説明】
【技術分野】
【０００１】
本発明は、情報処理装置及び情報処理方法に関する。
【背景技術】
【０００２】
眼科装置で撮影された画像を、画像ファイリングシステムへ転送し、コンピュータやデータベースなどに保存し、保存された撮影画像を表示し診断に使用することが可能になっている。また、画像ファイリングシステムや診断装置には、保存されている撮影画像をレポートとして１枚の用紙上に印刷することが可能なものが存在する（特許文献１）。さらに、それらの中には、画像と画像に関連付けられた付帯情報をもとに画像のレイアウト配置を行うものが存在する（特許文献２、３）。
【先行技術文献】
【特許文献】
【０００３】
【特許文献１】特許３６４８２６４号
【特許文献２】特開２０１１−３１０７７号公報
【特許文献３】特許４７３３５００号
【発明の概要】
【発明が解決しようとする課題】
【０００４】
しかしながら、インク消費量や用紙のコストを下げて運用したい場合、従来の技術では用紙サイズを変更したい場合に手動で変更する手間があった。例えば、１枚の用紙に対し印刷画像枚数が少なく、小さい用紙でも印刷後の用紙上の画像サイズがある一定サイズより大きくなる場合は、小さい用紙で印刷し、印刷画像枚数が多い場合は、通常の用紙やより大きな用紙で印刷したい場合である。また、レポートのような医師の所見やコメントなどの診断に重要な文字がある場合、小さい用紙で印刷する場合、全体が縮小されて印刷されてしまい、重要なコメントなどの文字が見難くなってしまうことがある。
【０００５】
さらに、眼科装置には、眼底カメラ、ＯＣＴ、眼圧計など複数の検査が存在し、それらを１枚のレポートに検査結果をレポートとして印刷する場合に、検査によってレイアウトや用紙サイズの選択があり操作が複雑になってしまう。
【０００６】
本発明の目的は、上記の課題を解決し、複数の眼科画像をレポート等として印刷する場合に、検者が簡単な操作で実行できることである。
【課題を解決するための手段】
【０００７】
本発明に係る情報処理装置は、
被検査物の複数の画像を取得する取得手段と、
前記取得された複数の画像の枚数に基づいて印刷媒体のサイズを決定する決定手段と、を有する。
【０００８】
また、本発明に係る情報処理方法は、
被検査物の複数の画像を取得する工程と、
前記取得された複数の画像の枚数に基づいて印刷媒体のサイズを決定する工程と、を有する。
【発明の効果】
【０００９】
本発明によれば、複数の眼科画像をレポート等として印刷する場合に、検者が簡単な操作で実行できる。
【図面の簡単な説明】
【００１０】
【図１】眼科情報処理システムの機能的構成を示すブロック図である。
【図２】眼科情報処理システムのハードウェア構成を示すブロック図である。
【図３】実施例１の動作を示すフローチャート図である。
【図４】実施例１の選択画像枚数毎のレイアウト対応情報のデータ構造を示す図である。
【図５】実施例１の選択画像枚数に対する用紙サイズのレイアウトを示す図である。
【図６】実施例２の動作を示すフローチャート図である。
【図７】実施例２の選択画像枚数毎のレイアウト対応情報のデータ構造を示す図である。
【図８】実施例２の選択画像枚数に対する用紙サイズのレイアウトを示す図である。
【図９】実施例３の動作を示すフローチャート図である。
【図１０】実施例３の選択画像枚数毎のレイアウト対応情報のデータ構造を示す図である。
【図１１】実施例３の選択画像枚数に対する用紙サイズのレイアウトを示す図である。
【図１２】実施例３の複数検査に対する選択画像枚数に対する用紙サイズのレイアウトを示す図である。
【図１３】実施例４の選択画像画面のアイコンを示す図である。
【図１４】実施例４の選択画像画面のアイコンを示す図である。
【発明を実施するための形態】
【００１１】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。
【００１２】
［実施例１：被検査物の複数の画像の枚数に基づいて印刷媒体のサイズを決定］
まず、実施例１について、図１から図５を用いて説明する。なお、図１は、実施例１における情報処理システムの一例である眼科情報処理システムの機能的構成を示すブロック図を示している。この眼科情報処理システムは、オペレータが使用するコンピュータを含んで構成される。このコンピュータは、例えば、ＬＡＮ（Ｌｏｃａｌ  Ａｒｅａ  Ｎｅｔｗｏｒｋ）などの通信回線を介して、被検査物の画像の一例である眼科画像や患者情報などを保管管理するデータベースに有線や無線により通信可能に接続されている。なお、眼科情報処理システムは、情報処理装置の一例であるコンピュータ単体で構成されてもよいし、眼科画像などは、外部の記憶装置、例えばＣＤ（Ｃｏｍｐａｃｔ  Ｄｉｓｃ）に保管されている構成でもよい。また、眼科情報処理システムは、通信回線を介して、眼科撮影装置に有線や無線により通信可能に接続されてもよい。眼底撮影装置の例として、眼底カメラ、ＳＬＯ（Ｓｃａｎｎｉｎｇ  Ｌａｓｅｒ  Ｏｐｈｔｈａｌｍｏｓｃｏｐｅ）、ＯＣＴ（Ｏｐｔｉｃａｌ  Ｃｏｈｅｒｅｎｃｅ  Ｔｏｍｏｇｒａｐｈｙ）、眼圧計、視野計などがある。
【００１３】
眼科情報処理システムには、図１に示すように、操作部１、表示部２、制御部４、記憶部５、レイアウト検索部１２、レイアウト生成部１６、印刷部３が設けられている。まず、操作部１は、キーボード、マウス、トラックボール、タッチパネルなど、任意の操作デバイス、入力デバイスを含んで構成される。表示部２は、制御部４に従って画面やデータを表示する。表示部２は、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスから構成される。なお、操作部１で記載したタッチパネルなどの操作部と表示部とを一体化したデバイスを使用することも可能である。この場合は、図１で示す操作部と表示部を一体化した構成になる。
【００１４】
また、印刷部の一例であるプリンタ３は、レイアウト情報を元に生成されたレポートなどの情報を印刷する。また、制御部４は、眼科情報処理システムの各部を制御し、例えば、表示部２を制御する表示制御部やプリンタ３を制御する印刷制御部として機能する。また、記憶部５には、検査情報６、眼科画像７、画像情報毎のレイアウト対応情報８、レイアウト情報９が記憶される。眼科画像７は、上記の眼科撮影装置により取得された被検眼の画像である。例としては、眼底カメラにより撮影された単一の撮影画像、連続撮影された画像や動画像、周辺撮影された画像の合成画像（パノラマ画像）などである。眼科画像には、被検査物の一例である被検眼の部位や、撮影日時、撮影モード、撮影倍率、蛍光造影の経過時間（タイマー値）、パノラマ合成を示す情報などの検査情報６が付帯情報として付加され、記憶部５に記憶される。被検眼の部位には、左右眼情報や前眼・眼底、乳頭、黄斑などの情報が含まれる。
【００１５】
ここで、レイアウト情報９は、印刷媒体の一例である用紙のサイズ、用紙の種類（例えば、光沢紙など）、用紙の方向（縦、横）などの用紙情報を含む用紙１０と画像や計測情報の配置情報を含む配置１１が記憶されている。なお、レイアウト情報９はＩＤやファイル名などで識別可能な情報で記憶される。
【００１６】
また、画像情報毎のレイアウト対応情報８は、後述するレイアウト検索部１２にある画像情報１３とレイアウト情報９を対応付けて記憶する。例えば、画像枚数が１位の場合は、用紙サイズＢ５で中央に１枚画像配置のレイアウト情報と関連付けて記憶される。どのように対応付けるかは、事前に画像枚数や画像の種類ごとに用紙サイズを設定しておくか、操作部１を介して対応したい画像情報とレイアウト情報を選択して、制御部４によって記憶部５に記憶しても良い。
【００１７】
また、レイアウト検索部１２は、画像情報１３、レイアウト判定１６で構成される。画像情報１３は、選択画像枚数１４、画像種別１５で構成される。選択画像枚数１４は、操作部１でユーザが表示部２で表示されている眼科画像をマウスなどで選択した眼科画像の枚数情報である。画像種別１５は、選択画像の画像種別の情報である。画像種別の情報は、眼科画像７に記憶される付帯情報であり、撮影モードやパノラマ合成などの情報である。なお、画像情報１４は、選択画像枚数１４と画像種別１５との少なくとも一方を画像情報１３とする情報である。なお、レイアウト検索部１２は、印刷媒体の一例である用紙のサイズを決定する決定手段の一例である。決定手段は、被検査物の複数の画像の枚数に基づいて印刷媒体のサイズを決定する。このとき、決定手段は、枚数が多い程、大きなサイズを決定することが好ましく、サイズは枚数に比例するように変更されても良いし、ステップ状に変更されても良い。これにより、画像一枚当たりの大きさを極端に小さくしなくても複数の画像を適度な大きさで用紙（一枚）に印刷できるため、検者は効率的な印刷を簡単に実行することができる。
【００１８】
また、レイアウト判定１６は、画像情報１３を検索キーとして、記憶部５に記憶される画像情報毎のレイアウト対応情報８より、対応するレイアウト情報９を検索し、対応するレイアウトを判定する。対応するレイアウト情報９は制御部４を介し、レイアウト生成部１７にてレイアウト情報９に従ったレイアウトを生成する。レイアウト決定手段の一例であるレイアウト生成部１７は、レイアウトを生成（決定）するために、レイアウト読込１８、検査情報読込１９、画像データ読込２０、画像生成２１、文字生成２２で構成される。まず、レイアウト読込１８で、レイアウト情報９を読込み、レイアウトの用紙サイズや画像や検査情報の配置情報を決定します。検査データ読込より取得した検査情報から文字生成２２で生成した文字画像と、画像データ読込より取得した画像情報から画像生成２１で生成した画像を、配置情報に従って印刷レイアウトを生成する。生成された印刷レイアウトは制御部４を介し印刷部３にて、指定したレイアウト情報の用紙サイズで印刷される。なお、レイアウト決定手段は、印刷媒体の余白が少ないように、複数の画像が配置されたレイアウトを決定することが好ましい。
【００１９】
次に、本実施例における眼科情報処理システムのハードウェア構成について、図２を用いて説明する。ここで、図２は、眼科情報処理システムのハードウェア構成の例を示している。眼科情報処理システムは、コンピュータ３０を含んで構成される。データベース４０は、眼科画像や患者情報などを保管管理するサーバなどを含んで構成される。コンピュータ３０は、ＬＡＮなどの通信回線を介してデータベース４０に通信可能に接続される。
【００２０】
オペレータは、眼科画像の閲覧の要求や印刷したい選択画像の要求をコンピュータ３０に入力する。この要求は、例えば患者名や患者ＩＤの患者識別情報を入力または選択し、所定の操作（キーボードの入力キー、マウスのクリックなど）をすることによって行う。コンピュータ３０は、入力された要求をデータベース４０に送信する。データベース４０は、この要求に基づいて眼科画像を検索して、コンピュータ３０に送信する。コンピュータ３０はこの検索結果を表示し、オペレータにより画像を選択してコンピュータ３０に印刷を要求する。コンピュータ３０は、例えば、図１の操作部１、表示部２、制御部３、レイアウト検索部１２、レイアウト生成部１７、印刷部３として機能する。データベース４０は、記憶部５として機能する。
【００２１】
コンピュータ３０は、ＣＰＵ３１、主記憶装置として機能するＲＡＭ３２、外部記憶装置として機能するＲＯＭ３３、外部記憶装置としてのＨＤＤ（ハードディスクドライブ）３４を含む。コンピュータ３０は更に、ディスプレイ３６、キーボード３７、マウス３８、通信Ｉ／Ｆ３９を有する。なお、図示はしないが、プリンタはＵＳＢやＬＡＮなどの通信Ｉ／Ｆを介して接続される。
【００２２】
コンピュータ３０は、ＨＤＤ３４に格納されたプログラム３５をＲＡＭ３２上に展開することにより、この実施例の動作を実行する。
【００２３】
図３は、本実施例における選択画像枚数に応じた用紙サイズを自動的に変更したレポート生成のフローチャートを示している。ここでは、眼科画像が眼底カメラで撮影された眼底画像である例を説明する。また、表示部２の表示デバイスはディスプレイで、操作部１はマウス、キーボードで実現されるものとする。
【００２４】
まず、オペレータの指示に応じて、レポート印刷したい画像が選択される（ステップ３０１）。画像の選択の確定後、オペレータの指示に応じて、レポート印刷が選択される（ステップ３０２）。
【００２５】
眼科情報処理システムは、ステップ３０１で得た選択画像の枚数を画像情報として扱い、この画像情報から対応する用紙とレイアウト対応情報を検索する（ステップ３０３）。選択画像枚数毎のレイアウト対応情報の例を図４に示す。例えば、選択画像枚数が４枚であれば、用紙サイズはＢ５で、レイアウト名はＢ５テンプレート４が検索結果として得られる。
【００２６】
ステップ３０３で得られたレイアウト名からレイアウト情報を読み込む（ステップ３０４）。レイアウト情報は、患者ＩＤや患者名などの検査情報の配置位置や、文字サイズなどの配置情報、眼底画像のような眼科画像の配置位置、サイズを含む情報である。レイアウト情報にある検査情報と眼科画像を配置情報に従い、レイアウトを生成する（ステップ３０５、ステップ３０６）。
【００２７】
レイアウトの生成が完了すると、レポート画面を開き、生成されたレポートが表示部２に表示される（ステップ３０７）。例えば、選択画像枚数が４枚、および１５枚のレポートを図５に示す。この図５の例では、検査情報などの文字サイズは印刷時に同じになるようなサイズとしている。これは、実際に印刷した場合に検査の画像枚数によらず、文字の可読性を一定にした例である。レイアウトを用紙サイズによらずに固定した場合、用紙に応じてレイアウトの拡大・縮小を行うことになるが、この場合、文字のサイズも変更されてしまい、用紙によっては文字が縮小されると文字が欠けて見えたりするため不便である。従って、文字のサイズはレイアウトに依存しないように設定できることが望ましい。
【００２８】
ステップ３０７で得られたレイアウトのレポートを印刷するために、レポート出力として印刷が選択される（ステップ３０８）。印刷を実行すると、眼科情報処理システムは、印刷部の一例であるプリンタ３に用紙サイズや印刷する印刷情報としてレポート画像を送信して、印刷する（ステップ３０９）。プリンタで印刷処理を実行し、処理を終了する。なお、ステップ３０８で生成されたレポートをＨＤＤなどの記憶部に保存し、後に印刷を実行しても良い。
【００２９】
また、プリンタに印刷情報を送信した後に、次の処理を行うためにレポート画面を閉じ、画像を選択する画面に戻っても良い。
【００３０】
実施例１に示すように、インクや用紙の印刷コストを下げるために必要な印刷用紙の選択の手間が省くことができる。また、レポート印刷物の可動性を保つために、レイアウトに文字サイズを持たせることで、用紙サイズによらず重要なコメントなどは読み易い文字で印刷することができる。
【００３１】
［実施例２：被検査物の複数の画像の枚数及び種類に基づいて印刷媒体のサイズを決定］
次に、実施例２について、図６から図８を用いて説明する。実施例２は、選択画像の枚数及び画像種別（種類）に応じた用紙サイズを自動的に変更する例である。ここで、図６は、選択画像の枚数及び画像種別に応じた用紙サイズを自動的に変更したレポート生成のフローチャートを示している。なお、別の実施例として、被検査物の画像の種類に基づいて印刷媒体のサイズが決定されても良い。すなわち、被検査物の画像の枚数と種類とのうち少なくとも一方に基づいて印刷媒体のサイズが決定されれば良い。ここでは、眼科画像が眼底カメラで撮影された眼底画像と、眼底画像を重ね合わせ、広範囲の眼底画像を一覧できるパノラマ画像の例を説明する。なお、ステップ３０１、ステップ３０２は実施例１と同じである。
【００３２】
ステップ６０１では、画像種別に合う用紙を検索する。例えば、画像種別としてパノラマ画像と通常の眼底画像があるとする。画像種別の用紙設定をパノラマ画像は用紙Ａ４とし、通常の眼底画像は実施例１と同様に選択画像枚数に応じた用紙サイズとして記憶しておく。そうすることで、画像種別に合う用紙を検索すると、１枚のパノラマ画像と３枚の通常の眼底画像を選択したときは、パノラマを含むため用紙Ａ４が検索結果として得られる。ステップ６０２では、用紙ごとの選択画像枚数のレイアウトを検索する。例えば、図７のような用紙ごとのレイアウトとすると、Ａ４用紙の選択画像枚数が４のレイアウトが検索結果として得られる。このレイアウトを用いてステップ３０４〜３０６の処理を実行する。ステップ３０７のレポート生成の結果の例を図８に示す。
【００３３】
以上より、本実施例において、パノラマ画像のような大きく画像を印刷したい場合に、用紙選択の手間を省くことができる。
【００３４】
［実施例３：被検査物の複数の画像の枚数及び種類に基づいてレイアウトを決定］
次に、実施例３について、図９から図１２を用いて説明する。実施例３は、選択画像枚数と画像種別の組み合わせに応じた用紙サイズ、およびレイアウトを自動的に変更する例である。なお、別の実施例として、被検査物の画像の枚数と種類とのうち少なくとも一方に基づいてレイアウトが決定されれば良い。ここで、図９は、選択画像枚数と画像種別の組み合わせに応じた用紙サイズ、およびレイアウトを自動的に変更したレポート生成のフローチャートを示している。なお、ステップ３０１、ステップ３０２は実施例１と同じである。
【００３５】
ステップ９０１では、選択画像枚数と選択画像の中の画像種別に合う用紙レイアウトを検索する。例えば、図１０のような用紙ごとのレイアウトとすると、１枚のパノラマ画像と３枚の通常の眼底画像（ノーマル）を選択したときは、Ａ４用紙の画像種類としてパノラマ、ノーマルで画像種類ごとの枚数がパノラマ１、ノーマル３枚のレイアウト名Ａ４テンプレート４−１が検索結果として得られる。このレイアウトを用いて、ステップ３０４〜３０６の処理を実行する。ステップ３０７のレポート生成の結果の例を図１１に示す。
【００３６】
以上より、本実施例において、パノラマ画像のような大きく画像を印刷したく、また通常の眼底画像も指定位置に配置したい場合に、用紙選択の手間を省くことができる。
【００３７】
ここで、このようなレイアウトは、スクリーニングのようにある決まった検査の場合に有効である。図１１では、蛍光造影の例であり、造影剤が回ったときに撮影したパノラマを大きく配置し、通常の眼底画像に前記、中期、後期の造影剤の画像を配置したレイアウトである。すなわち、画像の画角が大きい程、大きなサイズになるように、レイアウトする方が、検者が画像を詳細に観察できるため、好ましい。
【００３８】
なお、実施例３では、画像種類を通常の眼底画像としてノーマルとしたが、撮影モードで分けてもよい。例えば、ＣＯＬＯＲ撮影と蛍光造影撮影など分けた場合、ＣＯＬＯＲの場合を図８のレイアウト、蛍光造影撮影の場合を図１１のレイアウトのように画像の種類を指定しても良い。
【００３９】
図１２では、眼底カメラの眼底画像、ＯＣＴの断層画像、レフラクトメーターの屈折の測定値、トノメーターの眼圧値の例である。この場合は、眼底画像の画角の大きさによって、用紙サイズを変更する。例えば、眼底カメラの画角が４５度以内であれば用紙サイズをＢ５に自動設定し、また、パノラマ画像のように画角が４５度より大きい場合は用紙サイズをＡ４に自動設定する。ここで、レイアウト決定手段は、断層画像は眼底画像よりも小さくなるように、レイアウトを決定することが好ましい。
【００４０】
［実施例４：被検査物の複数の画像の枚数に対応する印刷媒体のサイズを表示］
次に、実施例４について、図１３と図１４を用いて説明する。実施例４は、画像選択からレポート開くときの画面の例である。ここで、図１３に示すように、レポート印刷アイコンに用紙サイズを、サイズを示す表示形態の一例である文字として表示する例である。用紙サイズを画面上に表示することで、選択状態に応じて変更される用紙サイズを確認することができる。また、図１４の（Ａ）、（Ｂ）のようにレイアウトと用紙が確認できるアイコンを画面上に表示してもよい。
【００４１】
なお、実施例１〜４は、用紙サイズを自動的に設定する説明をしたが、オペレータの用途に応じて用紙サイズの自動設定をＯＮ／ＯＦＦすることができるようにしても良い。また、画像選択から得られる画像情報に対する適切なレイアウトを検索できない場合に、警告を表示し、オペレータに用紙を選択させる画面を設けても良い。
【００４２】
［その他の実施例］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015062642.tif 000003
【図２】
2015062642.tif 000004
【図３】
2015062642.tif 000005
【図４】
2015062642.tif 000006
【図５】
2015062642.tif 000007
【図６】
2015062642.tif 000008
【図７】
2015062642.tif 000009
【図８】
2015062642.tif 000010
【図９】
2015062642.tif 000011
【図１０】
2015062642.tif 000012
【図１１】
2015062642.tif 000013
【図１２】
2015062642.tif 000014
【図１３】
2015062642.tif 000015
【図１４】
2015062642.tif 000016